(57)【要約】【課題】金券を収容するケースの排出や挿入における種々の不具合を解消する金券識別装置を提供する。【解決手段】本発明の金券識別装置１は、筐体と、筐体の前方に設けられ、金券の挿入を受け付ける挿入口と、挿入口から挿入された金券が搬送される搬送路と、搬送路を搬送された金券を一時的に保管する保管部と、保管部を筐体の外部に排出する排出駆動手段と、排出駆動手段に制御信号を付与する制御部と、を備え、排出駆動手段は、モーターと、モーターの回転を伝達する伝達部と、伝達部の回転を受けて回転するウォームギアと、ウォームギアと嵌合可能なヘリカルギアと、を有し、保管部の側面は、ヘリカルギアと嵌合可能な嵌合歯を有し、ウォームギアは、伝達部からの駆動によってのみ回転し、ヘリカルギアとウォームギアとの嵌合を分離する分離駆動部を、更に備える。【選択図】図４
2015113184.tif 000002
【特許請求の範囲】
【請求項１】
筐体と、
前記筐体の前方に設けられ、金券の挿入を受け付ける挿入口と、
前記挿入口から挿入された前記金券が搬送される搬送路と、
前記搬送路を搬送された前記金券を一時的に保管する保管部と、
前記保管部を前記筐体の外部に排出する排出駆動手段と、
前記排出駆動手段に制御信号を付与する制御部と、を備え、
前記排出駆動手段は、
モーターと、
前記モーターの回転を伝達する伝達部と、
前記伝達部の回転を受けて回転するウォームギアと、
前記ウォームギアと嵌合可能なヘリカルギアと、を有し、
前記保管部の側面は、前記ヘリカルギアと嵌合可能な嵌合歯を有し、
前記ウォームギアは、前記伝達部からの駆動によってのみ回転し、
前記ヘリカルギアと前記ウォームギアとの嵌合を分離する分離駆動部を、更に備える、金券識別装置。
【請求項２】
前記保管部は、前記筐体内部の所定の格納位置に格納されると共に、前記筐体の排出口から排出され、
前記保管部は、前記筐体を基準としたスライド動作によって、前記筐体への格納および前記筐体からの排出としての移動動作を行う、請求項１記載の金券識別装置。
【請求項３】
前記モーターが回転する場合には、
前記モーターは、前記伝達部に回転を伝達し、
前記伝達部は、前記ウォームギアに回転を伝達して、前記ウォームギアは回転し、
前記ウォームギアは、嵌合する前記ヘリカルギアを回転させ、
前記ヘリカルギアは、嵌合する前記嵌合歯を直線移動させて、
前記保管部は、前記筐体を基準としたスライド動作を行う、請求項１または２記載の金券識別装置。
【請求項４】
前記モーターが回転していない場合には、前記ウォームギアは、前記ヘリカルギアの回転を停止させると共に前記保管部の移動動作を停止させる停止機能を発揮する、請求項２記載の金券識別装置。
【請求項５】
前記停止機能は、前記保管部が、前記格納位置から前記排出口に向けて排出される排出方向の移動を停止させる、請求項４記載の金券識別装置。
【請求項６】
前記分離駆動部が前記ヘリカルギアと前記ウォームギアとを分離する場合には、前記保管部は、前記ウォームギアに依存することなく手動でスライド動作可能である、請求項１から５のいずれか記載の金券識別装置。
【請求項７】
前記ウォームギアと前記ヘリカルギアとを嵌合させるように圧力を付与する、嵌合圧力付与部を、更に有する、請求項１から６のいずれか記載の金券識別装置。
【請求項８】
前記分離駆動部は、前記嵌合圧力付与部の圧力を開放する、請求項７記載の金券識別装置。
【請求項９】
前記ヘリカルギアは、前記嵌合歯と嵌合する第１歯車と、前記第１歯車と同一回転軸で連結する第２歯車を有し、
前記第２歯車は、前記ウォームギアと嵌合可能であり、前記第１歯車は、前記ウォームギアと分離している、請求項１から８のいずれか記載の金券識別装置。
【請求項１０】
前記第１歯車は、回転軸となると共に突出する連結部を有し、
前記第２歯車は、前記連結部と連結する受け部を有し、
前記連結部の先端は、第１突出部と第２突出部を有し、
前記受け部は、前記第１突出部が挿入される第１凹部と、前記第２突出部が挿入される第２凹部と、を有し、
前記第１突出部と前記第１凹部が嵌合し、前記第２突出部と前記第２凹部が嵌合することで、前記第１歯車と前記第２歯車は、連結される、請求項９記載の金券識別装置。
【請求項１１】
前記第１突出部は、略垂直の第１垂直端面と鈍角斜面の第１斜め端面と、を有し、
前記第２突出部は、略垂直の第２垂直端面と鈍角斜面の第２斜め端面と、を有し、
前記第１凹部は、前記第１垂直端面と対応する第１垂直側面と、前記第１斜め端面と対応する第１斜め側面と、を有し、
前記第２凹部は、前記第２垂直端面と対応する第２垂直側面と、前記第２斜め端面と対応する第２斜め側面と、を有する、請求項１０記載の金券識別装置。
【請求項１２】
前記第１垂直端面と前記第１垂直側面が合わさり、前記第２垂直端面と前記第２垂直側面が合わさることで、前記モーターの回転に基づいて、前記ヘリカルギアは、前記排出方向および前記格納方向に回転可能である、請求項１１記載の金券識別装置。
【請求項１３】
前記保管部に対して、前記モーター以外による前記格納方向へ、所定値以上の戻し圧力が付与される場合には、
前記第１斜め端面と前記第１斜め側面との接触面および前記第２斜め端面と前記第２斜め側面との接触面が分離し、前記連結部と前記受け部とが分離する、請求項１１または１２記載の金券識別装置。
【請求項１４】
前記戻し圧力に基づいて前記連結部と前記受け部とが分離する場合には、前記第１歯車は前記第２歯車から独立して回転可能である、請求項１３記載の金券識別装置。
【請求項１５】
前記第１歯車が前記第２歯車から独立して回転可能である場合には、前記戻し圧力に基づいて、前記保管部が前記格納方向に手動で移動可能となる、請求項１４記載の金券識別装置。
【発明の詳細な説明】
【技術分野】
【０００１】
本発明は、汎用あるいは遊戯用機械に用いられる自動販売機、自動貸出機など、お金の投入に合わせて商品等を提供する機器に使用される紙幣の識別や一時的な保管を行う金券識別装置に関する。
【背景技術】
【０００２】
自動販売機や自動貸出機などが、街中、商店内部、集合建造物内部などの様々な場所に設置されている。外国においても自動販売機や自動貸出機が設置されているが、治安や貨幣価値の安定性といった我が国特有の事情に基づき、我が国においては、非常に多数の自動販売機や自動貸出機が設けられている。
【０００３】
また、パチンコ機やスロットマシン機といった遊戯用機械が設置された遊技場も広く普及している。これらのパチンコ機やスロットマシン機が設置された遊技場では、遊戯者が遊戯に必要となるパチンコ玉やコインの貸し出しを受けるために自動貸出機が設置されている。このような自動貸出機には、遊戯者が硬貨、紙幣（現金）、プリペイドカード、ＩＣカード、ＩＤカードなどを投入して、投入された金額（あるいは遊戯者が指定した金額）に対応するパチンコ玉やコインを提供する。このため、自動貸出機には、投入された紙幣やプリペイドカードなど（以下、「金券」という）の真贋、種類（金額）を識別しつつ、必要に応じて一時的に紙幣を保管する金券識別装置が設置される。
【０００４】
このような遊戯用機械に使用されるパチンコ玉やコインなどの貸し出しを行う自動貸出機は、遊戯用機械（パチンコ台やスロットマシン台）の間に設置される。遊戯用機械を使用して遊戯を楽しむ遊戯者は、遊戯店に設置されている多数の遊戯用機械のそれぞれの前に着座して、遊戯を楽しむ。パチンコやスロットマシンを始めとしたこれらの遊戯用機械は、遊戯者が連続して操作することを前提としているからである。
【０００５】
このため、遊戯者はパチンコ台やスロットマシン台の前に着座した状態を維持して、操作を続行するのが普通である。これらの遊戯においては、パチンコ玉やコインを着座した状態で、遊戯者は自動貸出機から得たいと考える。加えて、遊戯者は、遊戯の途中の様々な場面で、即座に自動貸出機からパチンコ玉やコインの貸し出しを得たいとの欲求を有する。このような遊戯の特性や遊戯者の欲求に対応するために、自動貸出機は、複数の遊戯用機械（パチンコ台やスロットマシン台など）のそれぞれの間に設置される。
【０００６】
複数の遊戯用機械のそれぞれの間に、自動貸出機が設置されることで、遊戯者は遊戯用機械の前に着座して遊戯用の操作を続行しながらパチンコ玉やコインを得ることができる。このため、自動貸出機とセットで設置される金券識別装置も、複数の遊戯用機械のそれぞれの間に設置されることが望まれる。例えば、自動貸出機に金券識別装置が装着される場合もあり、この場合には、金券識別装置が、自動貸出機と共に、複数の遊戯用機械のそれぞれの間に設置されることになる。
【０００７】
このような金券識別装置として、いくつかの技術が提案されている（例えば、特許文献１、２参照）。
【先行技術文献】
【特許文献】
【０００８】
【特許文献１】特開２００６−２５４９７０号公報
【特許文献２】特開２００６−２６４９７７号公報
【発明の概要】
【発明が解決しようとする課題】
【０００９】
特許文献１は、挿入された紙幣を収容する収容ケースと、収容ケースに収容された紙幣を排出するための押し出しモータとを、紙幣識別および収容の機能として備える遊戯媒体貸出機を開示する。ここで、管理サーバーは、リモコン機より遊技媒体貸出機に収容された紙幣の排出指令信号を出力して、この排出指令信号が遊技媒体貸出機及びネットワーク回線を介して受信された際に、複数の遊技媒体貸出機に対して所定の時間差をもって排出指令信号を出力する。このような構成によって、遊戯媒体貸出機の使い勝手を良くすることが提案されている。
【００１０】
しかしながら、特許文献１に開示される技術では、紙幣等を搬送する駆動手段や、収容される紙幣を回収する際の搬送手段に、複雑なモータや駆動機構を有しており、機械そのものが煩雑であるという問題を有していた。また、機械が煩雑であることで、小型化や薄型化が困難となり、パチンコ機やスロットマシン機の間などに設置しにくい問題も生じさせる。
【００１１】
パチンコ機やスロットマシン機を多数備える遊技場では、配置される多くのパチンコ機やスロットマシン機同士の間の隙間に、パチンコ玉やコインなどの自動貸出機を設置する必要がある。紙幣識別器はこの自動貸出機と合わせて構成されるので、紙幣識別機もパチンコ機やスロットマシン機同士の隙間に設置される必要がある。特許文献１に開示される装置では、このような隙間への設置も難しい問題がある。
【００１２】
特許文献２に開示される紙幣処理装置は、紙幣処理口から挿入された紙幣を搬送する紙幣搬送機構７と、紙幣処理口に挿入された紙幣の有効性を識別する紙幣識別センサ３１と、紙幣が挿入方向に沿って搬送状態にあり、かつ紙幣識別センサ３１が紙幣の有効性を検知しているとき、搬送状態にある紙幣の先端を湾曲案内するガイド板３９ａ，３９ｂと、紙幣搬送機構７に対して並設される紙幣収容部と、挿入された紙幣が有効であった場合、当該紙幣を紙幣処理口側に一定の距離搬送するように紙幣搬送機構７をスイッチバック制御する制御手段と、スイッチバックされた紙幣を紙幣収容部に積層収容させ、かつ次に挿入される紙幣との間で仕分けを行なう仕分け機構５０とを有する。
【００１３】
特許文献２に開示される紙幣処理装置は、紙幣の挿入と識別および収容を実現できる。しかしながら、搬送に係る駆動装置や駆動機構が、収容部や搬送部に設けられることで、装置全体が複雑となる。この結果、パチンコ機やスロットマシン機同士の隙間に設置することが困難となる問題がある。これは、特許文献１と同様である。
【００１４】
また、駆動装置や駆動機構が複雑であることで、紙幣処理装置の大きさに対する紙幣の収容枚数が少なくなったり、収容された紙幣の取り出しが面倒になったりする問題を有している。
【００１５】
このように、従来技術における紙幣処理装置や紙幣識別装置は、狭い隙間に設置が容易でありつつ、収容や取出しなどの容易性を高めることが難しい問題もあった。
【００１６】
特に、金券識別装置は、パチンコ台やゲーム機器の隙間などの、非常に狭小な空間に設置される必要が高い。この場合には、金券識別装置は、薄型化が求められる。一方で、薄型化によって、保管される金券の枚数が減少することも好ましくない。減少すれば、金券識別装置（すなわち自動販売機や自動貸出機）からの金券取り出し作業が増加し、経営効率の低下や安全性の低下が生じうるからである。
【００１７】
このように、パチンコやゲームなどの遊戯場においては、金券識別装置は、パチンコ台やゲーム機器の隙間の非常に狭小な空間に挿入されるように設置される。また、遊戯場においては、多数のパチンコ台やゲーム機器が設置されることで、多数の金券識別装置が設置される必要がある。ここで、金券識別装置は、金券を識別してパチンコ玉やゲームコインを貸し出しする機能に加えて、挿入された紙幣などの金券を収容する機能を有する。
【００１８】
このため、金券識別装置は、内部に金券を収容するケースを有しており、このケースが管理者による操作によって引き出されて金券が取り出される。ここで、ケースには金券が収容されているので、管理者以外によってケースが引き出されることは、金券の盗難などの問題がある。このため、通常はケースが排出されるには、管理者のみによって操作される特定の操作のみで実行されるようになっている。すなわち、ケースの排出においては、電気的および機械的な制限制御が設けられている。
【００１９】
この制限によっては、管理者がケースを排出させることに不具合を感じたり、ケースを戻すことに不具合を感じたりする問題もある。このような不具合が残っていると、管理者によるケースの管理（すなわち金券の管理）および盗難対策などが不十分となる問題がある。
【００２０】
以上のように、従来技術では次のような問題があった。
（問題１）パチンコ台やゲーム機器同士の狭い隙間に挿入して設置することが難しい。
（問題２）問題１に対応して、金券識別装置単体で、金券を収容するケースを有する必要があるが、ケースの排出には、制限を必要とする。
（問題３）ケースの排出に制限が設けられる場合に、ケースの排出に不具合や不十分さが生じる。
（問題４）問題３とは逆に、排出されたケースを戻す際に、種々の不具合などが生じる。
【００２１】
本発明は、従来技術の問題を解決すると共に、金券を収容するケースの排出や挿入における種々の不具合を解消する金券識別装置を提供することを目的とする。
【課題を解決するための手段】
【００２２】
上記課題に鑑み、本発明の金券識別装置は、筐体と、
筐体の前方に設けられ、金券の挿入を受け付ける挿入口と、
挿入口から挿入された金券が搬送される搬送路と、
搬送路を搬送された金券を一時的に保管する保管部と、
保管部を筐体の外部に排出する排出駆動手段と、
排出駆動手段に制御信号を付与する制御部と、を備え、
排出駆動手段は、
モーターと、
モーターの回転を伝達する伝達部と、
伝達部の回転を受けて回転するウォームギアと、
ウォームギアと嵌合可能なヘリカルギアと、を有し、
保管部の側面は、ヘリカルギアと嵌合可能な嵌合歯を有し、
ウォームギアは、伝達部からの駆動によってのみ回転し、
ヘリカルギアとウォームギアとの嵌合を分離する分離駆動部を、更に備える。
【発明の効果】
【００２３】
本発明の金券識別装置は、金券などが保管部に詰まったりして通常の保管部の排出では対応できない場合であっても、管理者が保管部を大きく排出することが出来る。この排出に際して、保管部を駆動させる駆動部を損傷させることがない。一方で、通常においては、管理者による命令信号の指示がなければ、保管部は、排出されないので、内部に保管されている金券が盗難される心配もない。
【００２４】
一方で、管理者による作業や不正者による作業などによって、排出された保管部が無理に押し戻されて挿入される場合にも、駆動部が損傷することを防止できる。
【００２５】
これらが相まって、盗難による保管部の排出を防止した状態を維持しつつ、金券つまりなどによって保管部を本体部から取り外したり、保管部を本体部に戻したりしなければならない場合にも、駆動部やその周辺を損傷させることを防止できる。
【図面の簡単な説明】
【００２６】
【図１】本発明の実施の形態１における金券識別装置の斜視図である。
【図２】本発明の実施の形態１における金券識別装置の正面図である。
【図３】本発明の実施の形態１における金券識別装置の設置態様を示す模式図である。
【図４】本発明の実施の形態１における手動による保管部６の排出を示す側面図である。
【図５】本発明の実施の形態１における排出駆動手段の正面図である。
【図６】本発明の実施の形態１における排出駆動手段の側面図である。
【図７】本発明の実施の形態１における排出駆動手段の斜視図である。
【図８】本発明の実施の形態１における排出駆動手段での分離駆動部を説明する説明図である。
【図９】本発明の実施の形態２における金券識別装置における保管部の排出状態を示す説明図である。
【図１０】本発明の実施の形態２におけるヘリカルギアの分離図である。
【図１１】本発明の実施の形態２におけるヘリカルギアの分離図である。
【図１２】本発明の実施の形態２における第１歯車の斜視図である。
【図１３】本発明の実施の形態２における第２歯車の斜視図である。
【発明を実施するための形態】
【００２７】
本発明の第１の発明に係る金券識別装置は、筐体と、
筐体の前方に設けられ、金券の挿入を受け付ける挿入口と、
挿入口から挿入された金券が搬送される搬送路と、
搬送路を搬送された金券を一時的に保管する保管部と、
保管部を筐体の外部に排出する排出駆動手段と、
排出駆動手段に制御信号を付与する制御部と、を備え、
排出駆動手段は、
モーターと、
モーターの回転を伝達する伝達部と、
伝達部の回転を受けて回転するウォームギアと、
ウォームギアと嵌合可能なヘリカルギアと、を有し、
保管部の側面は、ヘリカルギアと嵌合可能な嵌合歯を有し、
ウォームギアは、伝達部からの駆動によってのみ回転し、
ヘリカルギアとウォームギアとの嵌合を分離する分離駆動部を、更に備える。
【００２８】
この構成により、金券識別装置は、制御信号に基づくモーターの回転のみによって、保管部を排出もしくは格納できる。結果として盗難や不正を防止できる。その一方で、不具合が生じた場合でも、管理者が特別な操作によって、保管部を手動でスライド動作させることができる。このように、不正防止と緊急対応とのバランスを適切に保っている。
【００２９】
本発明の第２の発明に係る金券識別装置では、第１の発明に加えて、保管部は、筐体内部の所定の格納位置に格納されると共に、筐体の排出口から排出され、
保管部は、筐体を基準としたスライド動作によって、筐体への格納および筐体からの排出としての移動動作を行う。
【００３０】
この構成により、モーターによって、保管部がスライド動作される。
【００３１】
本発明の第３の発明に係る金券識別装置では、第１または第２の発明に加えて、モーターが回転する場合には、
モーターは、伝達部に回転を伝達し、
伝達部は、ウォームギアに回転を伝達して、ウォームギアは回転し、
ウォームギアは、嵌合するヘリカルギアを回転させ、
ヘリカルギアは、嵌合する嵌合歯を直線移動させて、
保管部は、筐体を基準としたスライド動作を行う。
【００３２】
この構成により、金券識別装置は、モーターを制御することで、保管部の排出もしくは格納を行える。
【００３３】
本発明の第４の発明に係る金券識別装置では、第２の発明に加えて、モーターが回転していない場合には、ウォームギアは、ヘリカルギアの回転を停止させると共に保管部の移動動作を停止させる停止機能を発揮する。
【００３４】
この構成により、ウォームギアは、保管部のスライド動作の停止も実行できる。すなわち、ストッパーの役割を担える。
【００３５】
本発明の第５の発明に係る金券識別装置では、第４の発明に加えて、停止機能は、保管部が、格納位置から排出口に向けて排出される排出方向の移動を停止させる。
【００３６】
この構成により、不正な保管部の排出が防止される。
【００３７】
本発明の第６の発明に係る金券識別装置では、第１から第５のいずれかの発明に加えて、分離駆動部がヘリカルギアとウォームギアとを分離する場合には、保管部は、ウォームギアに依存することなく手動でスライド動作可能である。
【００３８】
この構成により、不具合などの緊急状態では、管理者がウォームギアによる停止機能を解除して、保管部を引き出すことが出来る。
【００３９】
本発明の第７の発明に係る金券識別装置では、第１から第６のいずれかの発明に加えて、ウォームギアとヘリカルギアとを嵌合させるように圧力を付与する、嵌合圧力付与部を、更に有する。
【００４０】
この構成により、通常状態においては、ウォームギアはヘリカルギアに嵌合する。
【００４１】
本発明の第８の発明に係る金券識別装置では、第７の発明に加えて、分離駆動部は、嵌合圧力付与部の圧力を開放する。
【００４２】
この構成により、ウォームギアがヘリカルギアから外れる。
【００４３】
本発明の第９の発明に係る金券識別装置では、第１から第８のいずれかの発明に加えて、ヘリカルギアは、嵌合歯と嵌合する第１歯車と、第１歯車と同一回転軸で連結する第２歯車を有し、
第２歯車は、ウォームギアと嵌合可能であり、第１歯車は、ウォームギアと分離している。
【００４４】
この構成により、ヘリカルギアは、２つの要素によって、ウォームギアによる支配を受けつつ、保管部の移動動作を実現できる。
【００４５】
本発明の第１０の発明に係る金券識別装置では、第９の発明に加えて、第１歯車は、回転軸となると共に突出する連結部を有し、
第２歯車は、連結部と連結する受け部を有し、
連結部の先端は、第１突出部と第２突出部を有し、
受け部は、第１突出部が挿入される第１凹部と、第２突出部が挿入される第２凹部と、を有し、
第１突出部と第１凹部が嵌合し、第２突出部と第２凹部が嵌合することで、第１歯車と第２歯車は、連結される。
【００４６】
この構成により、第１歯車と第２歯車は、別の要素でありながら同一回転軸での回転が可能となるように連結できる。
【００４７】
本発明の第１１の発明に係る金券識別装置では、第１０の発明に加えて、第１突出部は、略垂直の第１垂直端面と鈍角斜面の第１斜め端面と、を有し、
第２突出部は、略垂直の第２垂直端面と鈍角斜面の第２斜め端面と、を有し、
第１凹部は、第１垂直端面と対応する第１垂直側面と、第１斜め端面と対応する第１斜め側面と、を有し、
第２凹部は、第２垂直端面と対応する第２垂直側面と、第２斜め端面と対応する第２斜め側面と、を有する。
【００４８】
この構成により、第１歯車と第２歯車は、付与される圧力の方向によって、連結して一緒に回転することも、分離して一方のみが自由回転することもできる。
【００４９】
本発明の第１２の発明に係る金券識別装置では、第１１の発明に加えて、第１垂直端面と第１垂直側面が合わさり、第２垂直端面と第２垂直側面が合わさることで、モーターの回転に基づいて、ヘリカルギアは、排出方向および格納方向に回転可能である。
【００５０】
この構成により、第１歯車と第２歯車がかみ合って、保管部を移動させることができる。
【００５１】
本発明の第１３の発明に係る金券識別装置では、第１１または第１２の発明に加えて、保管部に対して、モーター以外による格納方向へ、所定値以上の戻し圧力が付与される場合には、
第１斜め端面と第１斜め側面との接触面および第２斜め端面と第２斜め側面との接触面が分離し、連結部と受け部とが分離する。
【００５２】
この構成により、第１歯車は第２歯車から分離されて、第１歯車は自由回転できる。
【００５３】
本発明の第１４の発明に係る金券識別装置では、第１３の発明に加えて、戻し圧力に基づいて連結部と受け部とが分離する場合には、第１歯車は第２歯車から独立して回転可能である。
【００５４】
この構成により、保管部が手動で押し戻される場合に、歯車等に損傷を与えることなく、保管部は格納位置に戻される。
【００５５】
以下、図面を参照しながら、本発明の実施の形態を説明する。
【００５６】
（実施の形態１）
【００５７】
（金券識別装置の概要）
まず、実施の形態１における金券識別装置の全体概要を、図１〜図３を用いて説明する。図１は、本発明の実施の形態１における金券識別装置の斜視図である。図１は、金券識別装置１の外観を示している。下記に説明する金券識別装置１の要素の一部は、金券識別装置１の内部の要素であるが、全体を把握する便宜上、全体概要においては、内部の要素も含めて外観を示す図１で説明する。
【００５８】
図２は、本発明の実施の形態１における金券識別装置の正面図である。図２は、左側と右側に、保管部６が排出されていない状態と保管部６が排出されている状態とを示している。図３は、本発明の実施の形態１における金券識別装置の設置態様を示す模式図である。
【００５９】
金券識別装置１は、自動貸出機などに含まれて設置されることが多い。特に、図３に示されるように遊戯用機械１００同士の間の自動貸出機に含まれて設置されることが多い。
【００６０】
図３では、遊戯用機械１００として、パチンコ機やスロットマシン機が示されている。このようなパチンコ機やスロットマシン機は、パチンコ玉やゲーム用コインを必要とする。遊戯者２００は、遊戯用機械１００の前に着座して遊戯を行う。もちろん、多数の遊戯用機械１００が遊戯店において設置されており、遊戯者２００は、多数の遊戯用機械１００のいずれかの前に着座して遊戯を行う。
【００６１】
遊戯者２００は、遊戯の実施に当たってパチンコ玉やゲーム用コインを必要とする。このとき、遊戯中に簡単にパチンコ玉やゲーム用コインを追加して入手したいと考える。このため、パチンコ機やスロットマシン機などの遊戯用機械１００同士の間に、パチンコ玉やゲーム用コインなどの自動貸出機５０が設置される。この自動貸出機５０は、台間機とも呼ばれる。
【００６２】
自動貸出機５０は、パチンコ玉やゲーム用コインを貸し出すに当たって、遊戯者２００からの金券を機械的に受領する。金券は、紙幣であったり、専用のプリペイドカードであったり、商品券などであったりする。このため、自動貸出機５０は、金券識別装置１を含んで設置されることが多くなる。このとき、金券識別装置１は、遊戯用機械１００の内部に挿入されて表面以外が隠れるようにして設置されることになる。
【００６３】
このように、金券識別装置１は、遊戯用機械１００同士の隙間に設置される必要がある。この隙間は非常に狭いので、金券識別装置１は、この隙間となる遊戯用機械１００同士の間に縦型に設置される。このため、金券識別装置１は、遊戯用機械１００同士の隙間に縦型に設置されるように薄型でありつつ、縦型に適した要素の配置や要素の形態を必要とする。
【００６４】
金券識別装置１は、図１に示されるように、挿入口３、搬送路３１、識別部４、搬送駆動手段９、保管部６、排出駆動手段８、排出口７を備える。また、この金券識別装置１は、これらの要素を筐体２に格納する。金券識別装置１は、筐体２によってその外形を形成できる。ここで、筐体２は、一定の奥行きと高さを有しつつ、幅の小さい薄型かつ縦型である。このため、金券識別装置１も、幅の小さな薄型の外形を有するようになる。薄型の外形であることで、狭い隙間において縦方向に、金券識別装置１が、設置される。
【００６５】
挿入口３は、筐体２の前方に設けられ金券の挿入を受け付ける。搬送路３１は、挿入口３から挿入された金券を通す。識別部４は、搬送路３１において設けられ、金券を識別する。搬送駆動手段９は、搬送路３１に挿入された金券を搬送する。保管部６は、搬送駆動手段９で搬送された金券を一時的に保管する。排出駆動手段８は、保管部６を筐体２の前方であって外部に排出する。排出口７は、この排出駆動手段８によって排出される保管部６を排出する出口となる。
加えて、図示していないが、筐体２内部もしくは外部に、排出駆動手段８に制御信号を付与する制御部を更に備えている。
【００６６】
搬送路３１と保管部６とは、挿入口３を基点とした挿入方向において、略平行な同一平面上に配置される。また、保管部６は、筐体２の縦方向に沿って金券を保管する形態で設けられる。加えて、搬送駆動手段９および排出駆動手段８を構成する機械部品や電子部品は、縦型（縦長であって薄い）の筐体２の縦方向に沿って実装されている。このような形態と実装により、金券識別装置１は、遊戯用機械１００同士の狭い隙間に縦型にして設置することが可能となる。
【００６７】
（保管庫排出動作）
図１〜図３を用いて説明した金券識別装置１は、図３のように遊戯用機械１００の間に挿入されるようにして設置される。遊戯者は、遊戯用機械１００で遊戯を楽しみながら、必要に応じて金券識別装置１を用いて、パチンコ玉やゲームコインを得る。このため、金券識別装置１の保管部６には、遊戯者によって挿入された金券が溜まっていく。
【００６８】
保管部６に溜まった金券は、金券識別装置１を設置している遊戯場のものであり、遊戯者が勝手に取り出すことは盗難として防止される。一方で、金券識別装置１は、遊戯用機械１００の間の狭い隙間に設置される必要性から、金券を保管する保管部６の大きさ・保管容量には限界がある。このため、定期的にあるいは不定期に、遊戯場の管理者は保管部６に収容されている金券を回収する必要がある。
【００６９】
金券識別装置１の個々は、その内部もしくは外部に制御部を備えている。制御部は、保管部６を排出させる排出駆動手段８に、保管部６を排出する制御信号を出力する。この制御部による制御信号の発生は、管理者のみが可能なように構成されている。例えば、遊戯者からはアクセスできない集中管理室やサーバーなどによって、排出を制御する制御信号が発生される。
【００７０】
排出を指示する制御信号が入力されると、排出駆動手段８は、排出口７から保管部６を排出させる。保管部６は、その全てが排出されるのではなく、一部が外部に露出する。これは図２の右側に示すような状態である。図２の右側では、保管部６が排出口７からその一部を露出させるように排出されている状態を示している。
【００７１】
通常の状態であれば、図２の右側の状態のように保管部６の一部が露出するように排出されれば、保管部６に収容されている金券２０が回収可能となる。管理者は、通常状態であれば、このようにして保管部６に収容されている金券２０を回収できる。管理者は、設置されている複数の金券識別装置１のそれぞれにおいて、必要に応じた金券２０の回収を行う。
【００７２】
（異常状態）
しかしながら、金券２０が保管部６や搬送路３１において詰まるなどの異常状態が発生する可能性もある。あるいは、保管部６が収容可能な枚数を超えた金券２０を送り込まれてしまい、通常状態での保管部６の排出が困難になるなどの異常状態も発生する。このような異常状態では、図２の右側のように制御信号を受けて、保管部６が排出口７から排出されなくなってしまう。例えば、金券２０が詰まっていることで、保管部６が筐体２内部で引っ掛かるなどして排出がされなくなってしまうからである。
【００７３】
あるいは、保管部６そのものに機械的異常が生じて、排出を指示する制御信号による排出が困難となることもある。あるいは、保管部６のメンテナンスが必要となることもある。このような場合には、一部のみが露出する排出だけでは不足する。
【００７４】
このように、種々の理由で排出を指示する制御信号では自動で保管部６が排出できない異常状態が様々に発生する可能性がある。この場合には、手動で保管部６を筐体２から取り出す（取り外す）必要がある。金券識別装置１は、遊戯用機械１００の間に挿入されるように設置されているが、筐体２の状態で金券識別装置１は取り出し可能である。管理者は、金券識別装置１を設置場所から取り出すことが出来る。
【００７５】
（排出駆動手段と異常状態での排出）
図４は、本発明の実施の形態１における手動による保管部６の排出を示す側面図である。保管部６は、筐体２に組み込まれている。保管部６は、筐体２において、排出方向と格納方向のそれぞれにスライド動作して移動する。格納方向に移動すれば、所定の格納位置に格納される。排出方向に移動すれば、保管部６が筐体２から取り出し（取り外し）できる。通常状態であってもこのスライド動作を行うので、異常状態での手動によるスライド動作においても、保管部６は、排出駆動手段８と関係した状態で動作する。このため、保管部６の側面は、排出駆動手段８の備える要素であるヘリカルギア８４（第１歯車８５）と嵌合する嵌合歯６１を備える。
【００７６】
図４では、この嵌合歯６１が、ヘリカルギア８４と嵌合する側面に設けられている状態が示されている。ヘリカルギア８４が回転すると、嵌合する嵌合歯６１が直線動作して、保管部６は、スライド動作する。ヘリカルギア８４の回転方向によって、保管部６は、排出方向に移動したり、格納方向に移動したりする。このため、排出駆動手段８は、通常状態では、正常動作に基づいて、保管部６を図２のように排出方向に排出したり、格納方向に格納したりする。
【００７７】
一方、異常状態では、排出駆動手段８は、手動での保管部６のスライド動作を実現する必要がある。しかしながら、手動でそのまま保管部６のスライド動作が実現される構造であると、管理者以外による金券２０の盗難や金券識別装置１の故障を招く恐れもある。このため、排出駆動手段８は、制御信号に基づく管理下での自動動作のみを実現し、手動による動作を普通には受け付けない構造を有することが好ましい。しかしながら、手動による保管部６のスライド動作を全く受け付けないと、上記の通り、異常状態で保管部６を取り出すことが出来なくなり、金券識別装置１の活用が不十分となってしまう。
【００７８】
このため、異常状態においては、管理者によって保管部６が排出方向や格納方向に移動動作できることを、厳密な構造によって実現できることが必要である。本発明の金券識別装置１は、管理者以外の盗難や不正動作を防止しつつ、管理者によって異常状態に対応するために、保管部６の移動動作を実現できる排出駆動手段８を備えている。
【００７９】
図５は、本発明の実施の形態１における排出駆動手段の正面図である。図６は、本発明の実施の形態１における排出駆動手段の側面図である。図７は、本発明の実施の形態１における排出駆動手段８の斜視図である。
【００８０】
排出駆動手段８は、モーター８１、伝達部８２、ウォームギア８３、ヘリカルギア８４と、を備える。モーター８１は、電力によって回転動作を生じさせる。伝達部８２は、歯車や軸の組み合わせなどによって、モーター８１の回転を伝達する。伝達部８２は、歯車や軸の組み合わせでもよいし、単一の部品から構成されても良い。
【００８１】
ウォームギア８３は、伝達部８２からの回転を受けて回転する。ヘリカルギア８４は、ウォームギア８３と嵌合可能であり、ウォームギア８３と正常に嵌合している場合においては、ウォームギア８３の回転を受けて、ヘリカルギア８４は回転する。
【００８２】
ヘリカルギア８４は、保管部６の側面の嵌合歯６１と嵌合可能である。ヘリカルギア８４は、ウォームギア８３からの回転によって回転されると、この回転を嵌合歯６１に伝達する。この伝達により、嵌合歯６１は直線運動を生じさせて、保管部６をスライド動作させる。ヘリカルギア８４の回転方向（ウォームギア８３の回転方向）によって、保管部６は、排出方向もしくは格納方向に移動できる。
【００８３】
ここで、ウォームギア８３は、伝達部８２からの駆動のみによって回転できる。すなわち、モーター８１が回転して、モーター８１の回転が伝達部８２によって伝達される場合のみ、ウォームギア８３は、回転できる。言い換えれば、保管部６を、手でスライド動作させようとしても、ウォームギア８３は、回転しない。ウォームギア８３が回転しなければ、これと嵌合するヘリカルギア８４も回転できない。結局、保管部６は、ヘリカルギア８４およびウォームギア８３がストッパーとなってスライド動作できない。
【００８４】
このように、ウォームギア８３は、モーター８１が回転していない場合には、ヘリカルギア８４の回転を停止させると共に、保管部６の移動動作を停止させる停止機能を発揮する。この停止機能によって、盗難や不正動作を防止できる。言い換えれば、この停止機能は、保管部６が、格納位置から排出口７に向けて排出される排出方向の移動を停止させることを、一つの目的としている（逆の格納方向の移動も同じ）。
【００８５】
ここで、排出駆動手段８は、分離駆動部８７を備えている。分離駆動部８７は、ウォームギア８３とヘリカルギア８４とを分離させることが出来る。分離されると、ウォームギア８３とヘリカルギア８４との嵌合が開放され、ヘリカルギア８４は、ウォームギア８３による回転停止から開放される。異常状態で保管部６を移動動作させたい場合には、手動で動作させることが前提であり、モーター８１を回転させることができない。ウォームギア８３は、ヘリカルギア８４のストッパーとなっているので、モーター８１が回転できない場合には、ヘリカルギア８４は、ウォームギア８３のストッパーがかけられた状態のままである。
【００８６】
これに対して、分離駆動部８７によって、ウォームギア８３とヘリカルギア８４とが分離されると、ヘリカルギア８４は、排出方向に自由回転できる。保管部６の嵌合歯６１は、このヘリカルギア８４と嵌合しているが、ヘリカルギア８４がウォームギア８３に依存することなく自由回転できれば、保管部６は、手動でスライド動作することができる。すなわち、保管部６は、ウォームギア８３の停止機能から開放されて、手動によって、排出方向および格納方向に移動することができる。
【００８７】
このように、モーター８１の回転のみで回転し、モーター８１以外からの駆動力によっては回転しないウォームギア８３の停止機能は、不正な保管部６の排出を防止できる。一方で、異常状態における必要に対応して、分離駆動部８７によって、ウォームギア８３がヘリカルギア８４と分離される。この分離によって、ヘリカルギア８４は、排出方向にあわせて自由回転できるようになる。この自由回転によって、手動で、保管部６が、排出方向および格納方向に排出される。
【００８８】
図８は、本発明の実施の形態１における排出駆動手段での分離駆動部を説明する説明図である。図８の左側は、分離駆動部８７による分離が生じていない状態を示しており、図８の右側は、分離駆動部８７による分離が生じている状態である。
【００８９】
分離駆動部８７は、上述の通り、ウォームギア８３とヘリカルギア８４とを、分離する。この分離駆動部８７は板材のようになっており、手動で板材が矢印Ａの方向に傾けられることで、ウォームギア８３とヘリカルギア８４とが分離できる。
【００９０】
ここで、通常状態に対応するために、ウォームギア８３とヘリカルギア８４とを嵌合させるように圧力を付与する嵌合圧力付与部８８が更に備えられている。嵌合圧力付与部８８は、図８に示されるように、例えば弾性体であって、ウォームギア８３をヘリカルギア８４に押し付ける圧力を付与する。弾性体は、巻きバネなどで構成されても良い。
【００９１】
分離駆動部８７は、この嵌合圧力付与部８８と連結しており、矢印Ａのように傾けられると、嵌合圧力付与部８８の圧力が低減して、ウォームギア８３がヘリカルギア８４と分離できる。言い換えれば、分離駆動部８７は、嵌合圧力付与部８８の圧力を開放する。例えば、嵌合圧力付与部８８が弾性体であれば、この弾性体が、ウォームギアから外れることで、圧力が開放される。
【００９２】
図８の右側の状態となることで、ウォームギア８３は、ヘリカルギア８４と分離して、ヘリカルギア８４は、回転を自由に行えるようになる。この結果、保管部６は、手動で排出方向に排出されるようになる。図４は、この排出方向に手動で排出された結果を示している。
【００９３】
モーター８１が回転する場合において、ウォームギア８３の回転方向によって、ヘリカルギア８４は、格納方向にも回転できる。この回転によって、通常状態での自動動作によって、保管部６が自動で格納位置に格納される。
【００９４】
実施の形態１の金券識別装置１は、通常状態では、モーター８１のみの駆動によって保管部６を排出方向および格納方向に移動させることが出来る。加えて、モーター８１以外の駆動では、ウォームギア８３がストッパーの役割を果たし、保管部６が排出方向および格納方向に移動することはない。このため、盗難や不正操作が防止される。
【００９５】
一方で、異常状態などで必要な場合においては、金券識別装置１の筐体２が取り出されて、分離駆動部８７によってウォームギア８３によるストッパーが解除される。この解除によって、保管部６が手動で排出方向に移動できる。この排出方向での移動によって、金券２０の詰まりやその他の不具合に対するメンテナンスなどによって、管理者が手動で保管部６を取り出すことが出来る。
【００９６】
このように、自動での金券回収、盗難などの防止、異常状態でのメンテナンス等対応などに、実施の形態１の金券識別装置１は、バランスよく対応できる。
【００９７】
（実施の形態２）
【００９８】
次に、実施の形態２について説明する。
実施の形態２では、異常状態で保管部６を排出方向に移動させる場合ではなく、異常状態で保管部６を格納方向に移動させる場合に対応する金券識別装置１の構成について説明する。
【００９９】
異常状態は、上述したように様々な状況で生じる以外にも、例えば金券２０の回収のために排出された保管部６が何らかの理由で格納されなくなってしまう状態も含む。図９は、本発明の実施の形態２における金券識別装置における保管部の排出状態を示す説明図である。
【０１００】
図９の右側は、金券２０の回収のためなどで保管部６が排出された状態を示している。図９の左側は、保管部６が格納位置に格納された状態を示している。金券２０の回収などの目的で、保管部６が排出された後で、制御部からの制御信号によって、保管部６は、自動で格納位置に格納される必要がある。このとき、制御信号に基づいて、モーター８１が回転して、ヘリカルギア８４が格納方向に回転することで、保管部６が格納方向に移動する。
【０１０１】
しかしながら、何らかの理由でモーター８１の不具合や、伝達部８２などの不具合などによって（あるいは、制御信号の不具合）、保管部６が格納方向に移動しないこともありえる。この状態が放置されることは、金券識別装置１だけでなく、遊戯場全体にとって好ましくない。営業に悪影響が生じるからである。
【０１０２】
ここで、ヘリカルギア８４は、ウォームギア８３に嵌合している場合には自由に回転できないので、手動で飛び出している保管部６を格納方向に押し込むことは出来ない。実施の形態１のように、分離駆動部８７によってウォームギア８３をヘリカルギア８４から分離させることで対応することも考えられるが、その場合には、筐体２を、設置している場所から取り出す不便がある。また、保管部６が排出された状態が放置されることは、金券２０の盗難などの問題もあり、好ましくない。
【０１０３】
このため、排出されたまま、格納されていない保管部６は、筐体２の取り出しなどを行うことなく、即座に格納位置に格納されることが好ましい。一方で、種々の不正操作を防止するために、モーター８１や伝達部８２による正常な動作以外で、容易に保管部６が格納位置に戻されることも好ましくない。原則として、例外的な異常状態の場合にのみ、手動で保管部６を押し込むことができることが好ましい。
【０１０４】
実施の形態２は、このような場合において、筐体２を取り出したりすることなく、排出されて飛び出したままの保管部６を手動で押し込むことの出来る構成を説明する。
【０１０５】
（ヘリカルギアの構成）
ヘリカルギア８４は、図８に示されるように第１歯車８５と第２歯車８６との２つの要素を有している。第１歯車８５は、保管部６の嵌合歯６１と嵌合する。第２歯車８６は、第１歯車８５に連結し、ウォームギア８３と嵌合可能である。すなわち、ヘリカルギア８４は、嵌合歯６１と嵌合する第１歯車８５と、ウォームギア８３と嵌合する第２歯車８６との要素に分離されている。２つの要素に分離されていながら連結していることで、伝達経路を種々に構成できる。
【０１０６】
（経路１）
通常動作においては、モーター８１の回転がウォームギア８３を回転させる。ウォームギア８３は、第２歯車８６と嵌合しており、ウォームギア８３は、第２歯車８６を回転させる。第２歯車８６は、連結部８９で第１歯車８５と連結している。このため、第２歯車８６と第１歯車８５とは、同一回転軸で連結されている。
【０１０７】
この同一回転軸である連結部８９での連結によって、第２歯車８６の回転が第１歯車８５を回転させる。第１歯車８５の回転は、保管部６の嵌合歯６１を直線運動させて、保管部６をスライド移動させる。
【０１０８】
（経路２）
実施の形態１で説明したように、分離駆動部８７によってウォームギア８３は、第２歯車８６との嵌合を分離する。この結果、第２歯車８６と連結部８９で連結される第１歯車８５は、ウォームギア８３のストッパーとしての停止機能を受けなくなり、自由回転できる。
【０１０９】
（経路３）
保管部６がスライド移動しようとすると、第１歯車８５が嵌合歯６１からの回転力を受ける。第１歯車８５が、嵌合歯６１からの回転により自由に回転できるとすると、第１歯車８５の回転が第２歯車８６を回転させる。
【０１１０】
しかしながら、第２歯車８６は、ウォームギア８３による停止機能を受けているので、第２歯車８６は、回転できない。この結果、第２歯車８６の停止によって、第１歯車８５も回転できない。結果として、保管部６を手動で格納方向に移動させようと思っても、第２歯車８６とウォームギア８３との嵌合によって、第１歯車８５も回転できず、保管部６も移動できない。
【０１１１】
第１歯車８５と第２歯車８６との分離がなされていることで、モーター８１からの駆動であっても、保管部６からの駆動であっても、それぞれの経路１〜３を分離しながら構成できる。
【０１１２】
ここで、経路３の場合において、保管部６の格納方向への押し戻しによっても、全く第１歯車８５が回らないと保管部６が格納されない。格納されないことにより、管理者やその他の者が、無理に保管部６を押し戻そうとすると、第１歯車８５や嵌合歯６１が損傷を受けてしまう可能性もある。更に被害が生じると、ウォームギア８３、伝達部８２、モーター８１の故障にも繋がりかねない。これらが故障すると、金券識別装置１そのものの交換が必要となってしまい、コストが掛かる。
【０１１３】
一方で、経路１や経路２を実現するためには、第１歯車８５と第２歯車８６とが別の部材でありながらも、連結部８９で連結されていることが必要である。しかし、連結されたままであると、第３経路での保管部６の強制的な手動による押し戻しが実現できない。
【０１１４】
このため、ヘリカルギア８４は、第１歯車８５と第２歯車８６を特殊な構成で連結している。
【０１１５】
図１０は、本発明の実施の形態２におけるヘリカルギアの分離図である。図１１は、本発明の実施の形態２におけるヘリカルギアの分離図である。図１１は、図１０を逆方向から見た状態を示している。図１０で見えない第２歯車８６内部を、図１１で見えるようにしている。
【０１１６】
第１歯車８５は、回転軸となるとともに突出する連結部８９を有している。第２歯車８６は、この連結部８９と連結できる受け部８６０を有している。受け部８６０は、連結部８９を挿入させることが出来る。
【０１１７】
連結部８９の先端は、第１突出部８９１と第２突出部８９２を備える。すなわち、２箇所（あるいはそれ以上）の突出した部位を備える。受け部８６０は、第１突出部８９１が挿入される第１凹部８６１と、第２突出部８９２が挿入される第２凹部８６２を有する。第１突出部８９１と第１凹部８６１が嵌合し、第２突出部８９２と第２凹部８６２が嵌合することで、第１歯車８５と第２歯車８６とが嵌合して連結できる。
【０１１８】
この連結によって、第１歯車８５と第２歯車８６とは、経路１〜経路３などの種々の動作を実現して、ヘリカルギア８４に求められる動作を実現できる。
ここで、第１歯車８５と第２歯車８６との連結における構造によって、手動で保管部６が押し戻される場合に、第１歯車８５と第２歯車８６とが分離できる。この分離によって、第１歯車８５は、ウォームギア８３による停止機能から開放されて自由に回転できる。結果として、保管部６は、格納位置に移動できる。
【０１１９】
図１２は、本発明の実施の形態２における第１歯車の斜視図である。図１３は、本発明の実施の形態２における第２歯車の斜視図である。第１歯車８５は、連結部８９を有している。上述の通り、連結部８９は、第１突出部８９１と第２突出部８９２を備える。図１３に示されるように、第２歯車８６は、この第１突出部８９１に対応する第１凹部８６１と第２突出部８９２に対応する第２凹部８６２と、を備える。
【０１２０】
ここで、第１突出部８９１は、略垂直面となっている第１垂直端面８９１Ａと鈍角傾斜面となっている第１斜め端面８９１Ｂを有する。図１２に示されるように、第１垂直端面８９１Ａと第１斜め斜面８９１Ｂは、第１突出部８９１の突出により生じる両側面のそれぞれである。
【０１２１】
また第２突出部８９２は、図１２に示されるように、略垂直面となっている第２垂直端面８９２Ａと、鈍角傾斜面となっている第２斜め端面８９２Ｂと、を有する。これも同様に第２突出部８９２の突出により生じる両側面のそれぞれである。
【０１２２】
これに対して、図１３に示されるように、第１凹部８６１は、第１垂直端面８９１Ａと対応して接触できる第１垂直側面８６１Ａと、第１斜め端面８９１Ｂと対応して接触できる第１斜め側面８６１Ｂと、を有する。第２凹部８６２は、第２垂直端面８９２Ａと対応して接触できる第２垂直側面８６２Ａと、第２斜め端面８９２Ｂと対応して接触できる第２斜め側面８６２Ｂと、を有する。これらの側面も、第１凹部８６１や第２凹部８６２の凹みによって生じる両側面のそれぞれである。
【０１２３】
第１突出部８９１と第１凹部８６１とが嵌合すると、それぞれの端面と側面とが面接触する。同様に、第２突出部８９２と第２凹部８６２が嵌合すると、それぞれの端面と側面とが面接触する。
【０１２４】
第１垂直端面８９１Ａと第１垂直側面８６１Ａとが合わさり、第２垂直端面８９２Ａと第２垂直側面８６２Ａとが合わさる。この結果、モーター８１からの回転をウォームギア８３は、第２歯車８６に伝える。第１垂直端面８９１Ａと第１垂直側面８６１Ａとが合わさり、第２垂直端面８９２Ａと第２垂直側面８６２Ａとが合わさっていると、垂直面で合わさっているので、第２歯車８６の回転が、第１歯車８５にそのまま伝わる。垂直での接触面により、第２歯車８６が回る圧力が連結部８９に伝わり、第１歯車８５が回転できる。
【０１２５】
一方、保管部６に手動での圧力が付与される場合には、第１歯車８５の回転圧力が連結部８９を通じて第２歯車８６に伝わる。ここで、第１歯車８５と第２歯車８６とは、第１斜め端面８９１Ｂと第１斜め側面８６１Ｂおよび第２斜め端面８９２Ｂと第２斜め側面８６２Ｂとでも接触して連結している。
【０１２６】
この斜め面同士での連結においては、付与される圧力によって、第１歯車８５が、第２歯車８６を遠ざけようとする。斜め面での接触に過ぎないので、第１歯車８５に所定以上の圧力（戻し圧力）が付与されると、第１斜め端面８９１Ｂが第１斜め側面８６１Ｂを押し出そうとするからである。この押し出そうとする力によって、第１斜め端面８９１Ｂと第１斜め側面８６１Ｂとが分離する。第２斜め端面８９２Ｂと第２斜め側面８６２Ｂとの間も同様である。
【０１２７】
これらの結果、第２歯車８６は、第１歯車８５によって遠ざかるように押し出される。実際には、連結部８９によって第１歯車８５と第２歯車８６とが連結している。第２歯車８６の遠ざかりによって、第２歯車８６は、第１歯車８５との相互回転の連結を失う。結果として、第２歯車８６に対して第１歯車８５は自由になる。この自由となることで、第１歯車８５は、ウォームギア８３で停止されている第２歯車８６の影響を受けることなく、独立して回転可能となる。
【０１２８】
第１歯車８５が第２歯車８６から独立して回転可能となることで、保管部６を格納位置に戻そうとする手動による戻し圧力によって、保管部６は、格納方向に移動可能となる。移動可能となることで、保管部６が格納位置に戻される。このとき、第１歯車８５が、上述の構造と動作によって自由回転できるので、第１歯車８５や嵌合歯６１が損傷することがない。
【０１２９】
このようにして、実施の形態２における金券識別装置１は、何らかの不具合や故障などによって、排出されたまま戻らなくなった保管部６を、手動でかつ損傷など生じさせずに、格納位置に格納することが出来る。これらも、経路１〜３にあるように、ヘリカルギア８４が、ウォームギア８３によって支配される第２歯車８６と、保管部６と関係する第１歯車８５とに分かれていることで実現される。加えて、２つの要素である第１歯車８５と第２歯車８６とが分離と連結を、連結部８９の接触面形状のみで切り替え可能であることにより、実現される。
【０１３０】
なお、詳細説明は割愛したが、金券識別装置１は、識別部４を備えており、この識別部４において、金券の挿入の有無や金券の種別を識別する。
【０１３１】
なお、実施の形態１、２で説明した金券識別装置１は、一例であり、本発明の主旨を逸脱しない範囲を排除するものではない。
【符号の説明】
【０１３２】
１    金券識別装置
２    筐体
３    挿入口
３１    搬送路
４    識別部
６    保管部
７    排出口
８    排出駆動手段
８１    モーター  
８２    伝達部  
８３    ウォームギア
８４    ヘリカルギア
８５    第１歯車
８６    第２歯車
８７    分離駆動部
８８    嵌合圧力付与部
８９    連結部
９    搬送駆動手段
１００    遊戯用機械
２００    遊戯者
【図１】
2015113184.tif 000003
【図２】
2015113184.tif 000004
【図３】
2015113184.tif 000005
【図４】
2015113184.tif 000006
【図５】
2015113184.tif 000007
【図６】
2015113184.tif 000008
【図７】
2015113184.tif 000009
【図８】
2015113184.tif 000010
【図９】
2015113184.tif 000011
【図１０】
2015113184.tif 000012
【図１１】
2015113184.tif 000013
【図１２】
2015113184.tif 000014
【図１３】
2015113184.tif 000015